【手続補正書】
【提出日】平成23年11月16日(2011.11.16)
【手続補正１】
【補正対象書類名】明細書
【補正対象項目名】００１０
【補正方法】変更
【補正の内容】
【００１０】
図１１は、データ・トラックに記録されているデータの物理フォーマットを模式的に示す図である。データ・トラックは、複数のデータ・セクタを備え、図１１においては、３つのデータ・セクタ１３１ａ〜１３１ｃが例示されている。また、各データ・セクタもしくは一つのデータ・セクタを分離するように、一定の間隔サーボ・データ・セクタが配置されている。図１１においては、二つのサーボ・セクタ１３２ａ、１３２ｂが例示されている。
【手続補正２】
【補正対象書類名】明細書
【補正対象項目名】００１１
【補正方法】変更
【補正の内容】
【００１１】
データ・トラックにおけるデータ・セクタ１３１は、二つのタイプに分類することができる。一つは、サーボ・データ１３２によって分離されているスプリット・セクタ、もう一つは、分離されていない通常のデータ・セクタ（非スプリット・セクタ）である。図１１の例においては、データ・セクタ１３１ａ、１３１ｂは、サーボ・データに分離されておらず、通常のデータ・セクタである。一方、データ・セクタ１３１ｃは、サーボ・データ１３２ｂによって分離されており、スプリット・セクタである。
【手続補正３】
【補正対象書類名】明細書
【補正対象項目名】００１２
【補正方法】変更
【補正の内容】
【００１２】
非スプリット・セクタとスプリット・セクタとは、異なるデータ・フォーマットを持つ。図１１は、非スプリット・セクタとして、データ・セクタ１３１ａのデータ・フォーマットを示している。本例のデータ・セクタ１３１ａは、シンク（SYNC）３１１、データ・アドレス・マーク（ＤＡＭ）３１２、ユーザ・データ・セクション３１３、ＣＲＣＣ（Cyclic Redundancy Check Code）３１４及びＥＣＣコード（ＥＣＣ:Error Correction Code）３１５の各フィールドを有している。ＢＰＩは、ユーザ・データ・セクション３１３により定義される。ユーザ・データ・セクション３１３内のビット数とユーザ・データ・セクション３１３の長さ（インチ）とから、ＢＰＩが決まる。また、記録周波数とデータ・トラックの半径位置とからもＢＰＩが決まる。ここで、半径位置が変わると、同データレートの条件でもユーザ・データ・セクション３１３の長さが変わる。そのために、ゾーン内において、内周側から外周側に行くにつれ、データ・トラックのＢＰＩは減少する。
【手続補正４】
【補正対象書類名】明細書
【補正対象項目名】００１３
【補正方法】変更
【補正の内容】
【００１３】
シンク３１１は一定周波数の信号であって、ＲＷチャネルのＰＬＬ回路はそれに同期するように働き、ＶＧＡ（Variable Gain Amplifier）はシンク３１１によりゲインを調整する。ＤＡＭは、ユーザ・データの始まりを示し、その後に続くユーザ・データを読み出すための同期データである。ＣＲＣＣ３１４及びＥＣＣ３１５は、磁気ディスクへのデータの記録における誤り訂正のために付加される。ＨＤＤは、ＥＣＣ３１５を使用して読み出したデータのエラー訂正処理を実行する。また、ＣＲＣＣ３１４を誤り訂正の検証に使用する。
【手続補正５】
【補正対象書類名】明細書
【補正対象項目名】００１４
【補正方法】変更
【補正の内容】
【００１４】
スプリット・セクタ１３１ｃは、サーボ・セクタ１３２ｂによって、二つの部分ＰＡＲＴａ、ＰＡＲＴｂに分離されている。ＰＡＲＴａ、ＰＡＲＴｂのそれぞれが、上記のデータ・セクタ１３１ａと同様のフォーマットを有している。従って、ユーザ・データ以外のデータのデータ量は、スプリット・セクタが、非スプリット・セクタよりも多い。
【手続補正６】
【補正対象書類名】明細書
【補正対象項目名】００５４
【補正方法】変更
【補正の内容】
【００５４】
データ・トラックＴｒｋ＿０において基準値ＢＰＩ＿Ｔに対応するデータ・セクタ数が２５５であるため、２５４のデータ・セクタ数に対応する基準値ＢＰＩ＿Ｔを有するデータ・トラックは、データ・トラックＴｒｋ＿０よりも内周側に存在する。ゾーンＺｋの内周側のゾーンＺｋ＋１のデータ・セクタ数は、ゾーンＺｋのそれよりも小さくなる。そのため、ＨＤＣ／ＭＰＵ２３は、ゾーンＺｋを内側の領域へと広げることで、新たなに加えるデータ・トラックのＢＰＩを大きくし、記録面のデータ容量を大きくすることができる。
【手続補正７】
【補正対象書類名】明細書
【補正対象項目名】００５５
【補正方法】変更
【補正の内容】
【００５５】
ＨＤＣ／ＭＰＵ２３は、半径位置と基準ＢＰＩ＿Ｔとの関係式を有しているため、２５４のデータ・セクタ数に対応する半径位置（データ・トラック）、つまり、２５４のデータ・セクタ数におけるＢＰＩが基準ＢＰＩ＿Ｔよりも大きく最も近い値を示すデータ・トラックを同定することができる。好ましい態様において、ＨＤＣ／ＭＰＵ２３は、このように同定したデータ・トラックを、ゾーンＺｋの最内周データ・トラックＴｒｋ＿０＿Ｎ（ゾーン境界）として設定する。これにより、エラー・レートと容量の点から最適なゾーン境界を設定することができる。なお、ＨＤＣ／ＭＰＵ２３は、予め設定されている規定数の内周側データ・トラックを、ゾーンＺｋに追加してもよい。
【手続補正８】
【補正対象書類名】明細書
【補正対象項目名】００５７
【補正方法】変更
【補正の内容】
【００５７】
データ・トラックＴｒｋ＿０おいて、基準値ＢＰＩ＿Ｔに対応するデータ・セクタ数は２５５であるため、そのデータ・トラックに２５８のデータ・セクタを設定すると、エラー・レートが基準値ＢＰＩ＿Ｔよりも大きくなってしまう。ＨＤＣ／ＭＰＵ２３は、ゾーンＺｋの各データ・トラックのエラー・レートが基準値ＢＰＩ＿Ｔよりも小さくなるように、内周側境界位置を外周側にシフトする。
【手続補正９】
【補正対象書類名】明細書
【補正対象項目名】００５８
【補正方法】変更
【補正の内容】
【００５８】
ＨＤＣ／ＭＰＵ２３は、半径位置と基準ＢＰＩ＿Ｔとの関係式を有しているため、２５８のデータ・セクタ数に対応する半径位置（データ・トラック）、つまり、２５８のデータ・セクタ数におけるＢＰＩが基準ＢＰＩ＿Ｔよりも大きく最も近い値を示すデータ・トラックを同定することができる。好ましい態様において、ＨＤＣ／ＭＰＵ２３は、このように同定したデータ・トラックを、ゾーンＺｋの最内周データ・トラックＴｒｋ＿０＿Ｎ（ゾーン境界）として設定する。これにより、エラー・レートと容量の点から最適なゾーン境界を設定することができる。なお、ＨＤＣ／ＭＰＵ２３は、予め設定されている規定数の内周側データ・トラックを、ゾーンＺｋから除外してもよい。
【手続補正１０】
【補正対象書類名】明細書
【補正対象項目名】００６２
【補正方法】変更
【補正の内容】
【００６２】
ギャップが大きい場合、サーボ・セクタ間に規定数のデータ・セクタを収容するために、データ・セクタの長さを短くする、つまり、ＢＰＩを大きくすることが必要である。従って、同じ半径位置において、同一のデータ・セクタ数が収容される場合でも、そのデータ・トラックにおけるＢＰＩは、ギャップの変化に応じて変化する。そこで、ＨＤＣ／ＭＰＵ２３は、測定によりギャップを特定し、そのギャップの値を使用してデータ・セクタ数の算出を行う。
【手続補正１１】
【補正対象書類名】明細書
【補正対象項目名】００６５
【補正方法】変更
【補正の内容】
【００６５】
記録素子の寸法誤差において、トラック幅方向の寸法誤差が大きい場合には、隣接トラックに記録されているデータの一部を消去してしまう。この隣接トラックのデータ消去量が大きいと、エラー・レートが悪化する。この為、トラック幅方向の寸法誤差が大きい記録素子の場合にはＢＰＩを規定値より大きく設定し、データ消去があった場合でも規定のエラー・レート以下の値となるように設定する。